(57)【要約】【課題】複数のＬＥＤ照明灯の内、通電中に１本が取り外されても、残ったＬＥＤ照明灯の明るさが変化せず、寿命に悪影響を与えない電源回路を提供する。【解決手段】複数のＬＥＤ照明灯７Ｘ，７Ｙが夫々取着接続される接続部28Ｘ，28Ｙを電気的並列接続した並列回路部20と、並列回路部20に規定電流Ｉａを供給するための定電流供給回路部10と、を有する電源回路に於て、複数のＬＥＤ照明灯７Ｘ，７Ｙの内の１本が接続部28Ｘから通電中に外された際、外されたことを瞬時に検知して、規定電流Ｉａを残りのＬＥＤ照明灯７Ｙの規格電流に電流制限を行う検知制御手段３を備えた。【選択図】図１
2015022902.tif 000002
【特許請求の範囲】
【請求項１】
複数のＬＥＤ照明灯（７Ｘ）（７Ｙ）が夫々取着接続される接続部（28Ｘ）（28Ｙ）を電気的並列接続した並列回路部（20）と、該並列回路部（20）に規定電流（Ｉａ）を供給するための定電流供給回路部（10）と、を有する電源回路に於て、
複数の上記ＬＥＤ照明灯（７Ｘ）（７Ｙ）の内の１本が上記接続部（28Ｘ）から通電中に外された際、外されたことを瞬時に検知して、上記規定電流（Ｉａ）を残りの上記ＬＥＤ照明灯（７Ｙ）の規格電流に電流制限を行う検知制御手段（３）を備えたことを特徴とする電源回路。
【請求項２】
上記検知制御手段（３）は、上記１本が通電中に外されたことを、上記接続部（28Ｘ）（28Ｙ）の下流端（50Ｘ）（50Ｙ）の電流変化又は電圧変化によって検知するように構成した請求項１記載の電源回路。
【請求項３】
上記定電流供給回路部（10）は、上記規定電流（Ｉａ）を上記並列回路部（20）に流すためのＰＷＭパルス発生回路部（18）を有し、
上記検知制御手段（３）は、ＰＷＭパルス発生回路部（18）にデューティ比変更指令信号（Ｓｂ）を送って、上記ＰＷＭパルス発生回路部（18）から出力されるパルス信号のデューティ比（Ｔon／Ｔ）を制御して、上記電流制限を行う請求項１又は２記載の電源回路。
【発明の詳細な説明】
【技術分野】
【０００１】
本発明は、電源回路に係り、特に、複数のＬＥＤ照明灯へ定電流を供給する電源回路に関する。
【背景技術】
【０００２】
従来、１つの灯具に２本の直管型ＬＥＤ照明灯が取り付けられる照明器具（例えば特許文献１参照）に電気を供給する電源回路は、各ＬＥＤ照明灯に、寿命に悪影響を与えず所定の明るさを発揮するための規格電流（規格電流値）が流れるように構成される。
各ＬＥＤ照明灯に規格電流が流れるようにする電源回路としては、例えば、図７に示すように、１本のＬＥＤ照明灯７に対して１つの定電流供給回路部91を設ける、つまり、１つの灯具に定電流供給回路部91，91を２つ設ける構成のものが公知である。又は、図８に示すように、１つの定電流供給回路部91に２本のＬＥＤ照明灯７，７を直列に接続した回路、或いは、図９に示すように、１つの定電流供給回路部91に２本のＬＥＤ照明灯７，７を並列に接続した回路が公知であった。
【先行技術文献】
【特許文献】
【０００３】
【特許文献１】登録実用新案第３１５６２９２号公報
【発明の概要】
【発明が解決しようとする課題】
【０００４】
しかし、図７の従来の電源回路は、２個の定電流供給回路部91，91を必要とするため装置が大型化し、また、コスト高となる等の問題があった。
また、図８の従来の電源回路は、一方のＬＥＤ照明灯７Ｘを外した場合に、他方のＬＥＤ照明灯７Ｙが消えてしまうといった問題があった。
【０００５】
また、図９の従来の電源回路を詳しく図示すると、図10に示すように、２本のＬＥＤ照明灯７Ｘ，７Ｙが夫々取着接続される接続部98Ｘ，98Ｙを電気的並列接続した並列回路部92と、その並列回路部92に電流を供給するための定電流供給回路部91と、を備えている。
そして、定電流供給回路部91は、２本のＬＥＤ照明灯７Ｘ，７Ｙの規格電流値の合計である規定電流Ｉａを、並列回路部92に供給していた。例えば、各ＬＥＤ照明灯７Ｘ，７Ｙの規格電流値が１Ａであるとすると、２Ａの電流を供給し、各ＬＥＤ照明灯７Ｘ，７Ｙに１Ａの電流が流れるようにしていた。
しかし、一方のＬＥＤ照明灯７Ｘを通電中に不注意等によって（不意に）外した場合には、他方のＬＥＤ照明灯７Ｙに、２Ａの電流が流れてしまうといった問題があった。
つまり、図10の電源回路は、一方のＬＥＤ照明灯７Ｘを外した場合に、他方の（残った）ＬＥＤ照明灯７Ｙが過電流状態となり（過分に明るくなって）、ダメージを受けて寿命が短くなるといった問題があった。
【０００６】
そこで、本発明は、複数のＬＥＤ照明灯の内、通電中に１本が（不意に）取り外された場合にあっても、残ったＬＥＤ照明灯の明るさが変化せず、寿命に悪影響を与えない電源回路の提供を目的とする。
【課題を解決するための手段】
【０００７】
上記目的を達成するために、本発明の電源回路は、複数のＬＥＤ照明灯が夫々取着接続される接続部を電気的並列接続した並列回路部と、該並列回路部に規定電流を供給するための定電流供給回路部と、を有する電源回路に於て、複数の上記ＬＥＤ照明灯の内の１本が上記接続部から通電中に外された際、外されたことを瞬時に検知して、上記規定電流を残りの上記ＬＥＤ照明灯の規格電流に電流制限を行う検知制御手段を備えたものである。
また、上記検知制御手段は、上記１本が通電中に外されたことを、上記接続部の下流端の電流変化又は電圧変化によって検知するように構成したものである。
また、上記定電流供給回路部は、上記規定電流を上記並列回路部に流すためのＰＷＭパルス発生回路部を有し、上記検知制御手段は、ＰＷＭパルス発生回路部にデューティ比変更指令信号を送って、上記ＰＷＭパルス発生回路部から出力されるパルス信号のデューティ比を制御して、上記電流制限を行うものである。
【発明の効果】
【０００８】
本発明によれば、１つの定電流供給回路部で複数のＬＥＤ照明灯の電流を供給可能で、小型かつ低コストのＬＥＤ照明用灯具を得ることができる。複数のＬＥＤ照明灯の内、通電中に１本が外されても、残ったＬＥＤ照明灯に、過電流が流れるのを防止でき、明るさが変わらずに一定に維持されて、寿命が短くなることを防止できる。このように、残ったＬＥＤ照明灯に悪影響が及ばなくできる。
【図面の簡単な説明】
【０００９】
【図１】本発明の実施の一形態を示す回路構成図である。
【図２】１本のＬＥＤ照明灯が外された際の作用を説明するための回路構成図である。
【図３】検知制御手段の一例を示すブロック図である。
【図４】検知制御手段の一例を示す回路図である。
【図５】デューティ比を説明するためのグラフ図である。
【図６】作用を説明するためのグラフ図である。
【図７】従来技術を説明するための構成図である。
【図８】従来技術を説明するための構成図である。
【図９】従来技術を説明するための構成図である。
【図１０】従来の図９の場合の電源回路の構成図である。
【図１１】従来の電源回路の問題点を説明するためのグラフ図である。
【発明を実施するための形態】
【００１０】
以下、図示の実施形態に基づき本発明を詳説する。
本発明に係る電源回路は、図１に示すように、２本の直管型のＬＥＤ照明灯７Ｘ，７Ｙが夫々着脱自在に取着接続される接続部28Ｘ，28Ｙを、電気的並列接続した並列回路部20と、並列回路部20に規定電流Ｉａを供給するための定電流供給回路部10と、を有している。
【００１１】
各ＬＥＤ照明灯７Ｘ，７Ｙは、寿命に悪影響を与えず所定の明るさが発揮される規格電流値が定められている。
そこで、定電流供給回路部10は、２本のＬＥＤ照明灯７Ｘ，７Ｙの規格電流値の合計値（取着接続可能なＬＥＤ照明灯７の本数と規格電流値の積の値）である規定電流（値）Ｉａを、並列回路部20に供給するように設けている。
【００１２】
定電流供給回路部10は、交流から直流に変換された電気を、一定の電流値をもった電流として、並列回路部20へ供給可能な回路であって、コンデンサ部11と、スナバ回路12と、プライマリコイル部13と、ＭＯＳＦＥＴ部16と、ＰＷＭパルス発生回路部18と、セカンダリコイル部14と、整流回路部15と、を有している。
【００１３】
並列回路部20に供給される規定電流Ｉａは、オームの法則により接続部28Ｘ，28Ｙに均等に分割して電流Ｉｘ，Ｉｙが流れる。つまり、図１に於て、接続部28には、規格電流（値）が流れ、各ＬＥＤ照明灯７Ｘ，７Ｙは寿命に悪影響が与えられず所定の明るさで点灯する。
【００１４】
そして、２本のＬＥＤ照明灯７Ｘ，７Ｙの内の１本（一方のＬＥＤ照明灯７Ｘ）が、図２に示すように、一方の接続部28Ｘから通電中に（不注意等によって不意に）外された際、外されたことを瞬時に検知して、並列回路部20に供給する規定電流Ｉａを極微小時間で残りのＬＥＤ照明灯７Ｙの規格電流に電流制限を行う検知制御手段３を備えている。
ここで、「瞬時」とは、限りなく０秒に近い時間で、例えば、０．１μsec未満である。また、「極微小時間」とは、０．１μsec以上１０μsec未満であって、例えば、１μsec〜５μsecである。
【００１５】
図１及び図２に示すように、検知制御手段３は、各接続部28Ｘ，28Ｙの下流端50Ｘ，50Ｙの電圧（値）変化を瞬時に検知可能に接続され、ＰＷＭパルス発生回路部18のＰＷＭデューティサイクル可変回路部18ａに制御信号を瞬時に送信可能に接続されている。
なお、検知制御手段３は、各接続部28Ｘ，28Ｙの下流端50Ｘ，50Ｙの電流（値）変化を瞬時に検知可能に接続しても良い。
【００１６】
図３及び図４に示すように、検知制御手段３は、一方の接続部28Ｘの下流端50Ｘに接続されその下流端50Ｘの電圧（値）を増幅させる第１増幅回路部33Ｘと、第１増幅回路部33Ｘに接続され増幅した電圧（値）が所定閾値以下か否かを判定して二値化する第１二値化変換回路部35Ｘと、を有する第１判定回路部31Ｘを備えている。また、他方の接続部28Ｙの下流端50Ｙに接続されその下流端50Ｙの電圧（値）を増幅させる第２増幅回路部33Ｙと、第２増幅回路部33Ｙに接続され増幅した電圧（値）が所定閾値以下か否かを判定して二値化する第２二値化変換回路部35Ｙと、を有する第２判定回路部31Ｙを備えている。そして、第１判定回路部31Ｘ（第１二値化変換回路部35Ｘ）と第２判定回路部31Ｙ（第２二値化変換回路部35Ｙ）は、ＯＲ回路37に接続される。
【００１７】
第１・第２二値化変換回路部35Ｘ，35Ｙは、増幅した電圧（値）が所定の閾値を越えている場合は、ＬＥＤ照明灯７が接続部28に取り付けられていると判定して信号を発信せず、他方、増幅した電圧（値）が所定の閾値以下の場合は、ＬＥＤ照明灯７が接続部28に取り付けられていないと判定して信号ＤをＯＲ回路37に送信する。
【００１８】
このＯＲ回路37の出力信号は、フォトカプラー５を介して、前記ＰＷＭパルス発生回路部18へ送られる。即ち、第１・第２二値化変換回路部35Ｘ，35Ｙに於て、ＬＥＤ照明灯７Ｘ，７Ｙの内の少なくとも一方が取り外された瞬間に、（前記閾値以下として）信号ＤがＯＲ回路37に送られ、直ちにフォトカプラー５を介してＰＷＭパルス発生回路部18へ送信される。このときに送信される信号が、デューティ比変更指令信号Ｓｂである（図２参照）。
なお、デューティ比変更指令信号ＳｂをＯＮ-ＯＦＦ信号に変換しても良い。例えば、デューティ比変更指令信号Ｓｂが発信された時にＯＦＦ信号を出力し、デューティ比変更指令信号Ｓｂが発信されていないとき（ＬＥＤ照明灯７Ｘ，７Ｙが２本有るとき）にＯＮ信号を発信するように、ＯＮ―ＯＦＦ反転回路部を設けても良い。
【００１９】
ここで、定電流供給回路部10は、ＰＷＭパルス発生回路部18から出力するパルス信号によって、ＭＯＳＦＥＴ部16のゲートにかける電圧（ゲート電圧）を、ＯＮ―ＯＦＦして、並列回路部20に、電流を流すようにしている。
つまり、図５に示すように、ゲート電圧は、所定の周期Ｔをもって、周期的にＯＮとＯＦＦを繰り返している。そして、並列回路部20に供給される電流の値は、ゲート電圧がＯＮとなるパルス幅Ｔoｎと、周期（幅）Ｔと、の比であるデューティ比Ｔon／Ｔによって、変更可能としている。
【００２０】
検知制御手段３からＰＷＭパルス発生回路部18に送信される指令信号Ｓａ，Ｓｂは、ＰＷＭデューティサイクル可変回路部18ａに作用して、ＰＷＭパルス発生回路部18から出力されるパルス信号（ゲート電圧のパルス）のデューティ比Ｔon／Ｔを制御する信号である。
【００２１】
検知制御手段３は、ＰＷＭパルス発生回路部18に基準デューティ比指令信号Ｓａを送信することで、第１デューティ比(基準デューティ比）Ｔon１／Ｔをもったパルス信号を出力するように指令している。
そして、ＰＷＭパルス発生回路部18にデューティ比変更指令信号Ｓｂを送信することで、第２デューティ比(変更デューティ比）Ｔon２／Ｔをもったパルス信号を出力するように指令している。
ところで、図１に於て、基準デューティ比指令信号Ｓａは、検知制御手段３から出力させているが、（所望により、）ＰＷＭパルス発生回路部１８が、基準デューティ比指令信号Ｓａを発信する回路を内部に有し、又は、別途に有していてもよい。その場合にも、図２に示す通り、デューティ比変更指令信号Ｓｂは、検知制御手段３から送られ、そのとき、第１デューティ比Ｔon１／Ｔから第２デューティ比Ｔon２／Ｔに切換わる。
【００２２】
つまり、規定電流Ｉａを残りのＬＥＤ照明灯７Ｙの規格電流に電流制限を行うとは、検知制御手段３がデューティ比Ｔon／Ｔを制御することで、２本のＬＥＤ照明灯７Ｘ，７Ｙの内１本が取り外された場合に、取り外される前の電流値の２分の１を流すようにする。つまり、並列回路部20にＬＥＤ照明灯７Ｘ，７ＹをＮ本接続可能に設けて、その内の１本が外された場合は、規定電流Ｉａを、（Ｎ-１）／Ｎに制限することである。
【００２３】
また、図１及び図２に於て図示省略したが、ＰＷＭパルス発生回路部18と検知制御手段３の間に、図３及び図４に示すように、フォトカプラー５を設けて、ＰＷＭパルス発生回路部18と検知制御手段３の間を絶縁している。また、図１及び図２に示すように、並列回路部20は、各接続部28Ｘ，28Ｙの下流端50Ｘ，50Ｙと、アース接点の間に、０．１〜１．０Ωの測定用の抵抗部29Ｘ，29Ｙを設けている。また、ＭＯＳＦＥＴ部16のドレイン側とアース接点の間に０．１〜１．０Ωの測定用の抵抗部19を設けている。
【００２４】
次に、本発明に係る電源回路の作用について説明する。
説明を容易にするために、２本のＬＥＤ照明灯７Ｘ，７Ｙを取着接続可能に設け、各ＬＥＤ照明灯７Ｘ，７Ｙの規格電流値は１Ａとし、２本のＬＥＤ照明灯７Ｘ，７ｙが接続している場合の規定電流Ｉａを２Ａとし、検知制御手段３の第１・第２二値化変換回路部35Ｘ，35Ｙが信号Ｄを発信するのは、接続部28Ｘ，28Ｙの下流端50Ｘ，50Ｙの電圧が１Ｖ以下のときであるとして説明する。
【００２５】
図１に示すように、２本のＬＥＤ照明灯７Ｘ，７Ｙが夫々接続部28Ｘ，28Ｙに取着接続されている際は、各接続部28Ｘ，28Ｙの下流端50Ｘ，50Ｙの電圧値は１Ｖより大きく、検知制御手段３において、第１・第２判定回路部31Ｘ，31ＹはＯＲ回路37に信号を送らず、ＯＲ回路37は基準デューティ比指令信号Ｓａを発信する。ＰＷＭパルス発生回路部18は、基準デューティ比指令信号Ｓａによって第１デューティ比Ｔon１／Ｔをもったパルス信号を出力し、定電流供給回路部10は並列回路部20に２Ａの規定電流（基準規定電流）Ｉａを供給する。
【００２６】
図２に示すように、一方のＬＥＤ照明灯７Ｘが通電中に外されると、一方の接続部28Ｘの下流端50Ｘは、電圧（値）が降下して０となる。検知制御手段３は、第１判定回路部31ＸがＯＲ回路37に（照明無し）信号Ｄを送り、ＯＲ回路37はデューティ比変更指令信号Ｓｂを発信してＰＷＭパルス発生回路部18のデューティ比Ｔon／Ｔの制御（変更）を瞬時に制御する。つまり、デューティ比変更指令信号Ｓｂによって第２デューティ比Ｔon２／Ｔをもったパルス信号を出力し、定電流供給回路部10は並列回路部20に１Ａの規定電流（変更規定電流）Ｉａが流れるようになる。
【００２７】
ここで、図10及び図11を用いて従来の電源回路の作用を説明する。
図10に示すように、２本のＬＥＤ照明灯７Ｘ，７Ｙが夫々取着接続される接続部98Ｘ，98Ｙを電気的並列接続した並列回路部92と、その並列回路部92に電流を供給するための定電流供給回路部91と、を備えている。しかし、検知制御手段３は備えていない。
図11のグラフ図に示すように、各接続部98Ｘ，98Ｙ夫々に電流Ｉｘ，Ｉｙが１Ａで一定に流れているときに、一方の接続部98ＸからＬＥＤ照明灯７Ｘが第１時間ｔ１の時に外されると、図11の上グラフ図に示すように、一方の接続部98Ｘの電流Ｉｘは０Ａとなる。そして、検知制御手段３を備えていないため、定電流供給回路部91から常に２Ａの規定電流Ｉａが、並列回路部92に流れる。
つまり、図11の下グラフ図に示すように、他方の接続部98Ｙに流れる電流Ｉｙは、整流回路部15等の影響により、一方ＬＥＤ照明灯７Ｘが外された第１時間ｔ１から１ｍｓ〜１０００ｍsec後である第２時間ｔ２になると、１Ａから上昇を開始し、第１時間ｔ１から所定時間経過した第３時間ｔ３では、２Ａが流れる。つまり、他方のＬＥＤ照明灯７Ｙに、規格電流値の２倍の電流値をもった過電流が流れ、明るくなると共に、寿命に著大なダメージ（悪影響）を与えてしまう。
【００２８】
ところが、本発明の電源回路は、図６と図１及び図２に示すように、２Ａの規定電流Ｉａが並列回路部20に流れ各接続部28Ｘ，28Ｙ夫々に電流Ｉｘ，Ｉｙが１Ａで一定に流れているときに、一方の接続部28ＸからＬＥＤ照明灯７Ｘが第１時間ｔ１の時に外されると、一方の接続部28Ｘの電流Ｉｘは０Ａとなり、下流端の電圧が０になるため、検知制御手段３による電流制限が極微小時間行われて、定電流供給回路部10から１Ａの規定電流Ｉａが、並列回路部20に流れる。
電流制限が行われる時間、つまり、他方（１本の）ＬＥＤ照明灯７Ｙの規格電流（１Ａの電流）に制限されるまでの時間は、極微小時間（例えば１μsec〜５μsec）であり、上述の第２時間ｔ２と第１時間ｔ１の差（上記１ｍｓ〜１０００ｍsec）よりも短い時間である。
従って、図６の下グラフ図に示すように、他方の接続部28Ｙに流れる電流Ｉｙは、（従来では電流の上昇が始まっていた）第２時間ｔ２になっても上昇することなく、１Ａが一定して流れる。よって、他方のＬＥＤ照明灯７Ｙに、過電流が流れず、明るさが変化せず、寿命にダメージ（悪影響）を受けない。
【００２９】
特に、図４に示すように、接続部28（28Ｘ，28Ｙ）の下流端50Ｘ，50Ｙの電圧変化を、電気回路にて二値化してＬＥＤ照明灯７の有無判定を行い、さらに、ＯＲ回路37にて、ＬＥＤ照明灯７Ｘが取り外されたことを信号として出力し、図１及び図２に示すように、判定した信号をＰＷＭデューティサイクル可変回路部18ａに送って、ＰＷＭパルス発生回路部18から出力されるパルス信号のデューティ比Ｔon／Ｔを制御する場合は、電気の流れる速度をもって（瞬時に）、デューティ比Ｔon／Ｔの制御（変更）を行える。つまり、過電流が流れ始めたことを検出して、それを制御する方式よりも著しく高速で、かつ、安全に、残されたＬＥＤ照明灯７Ｙに規格電流のままを供給できる。
【００３０】
また、一方の接続部28Ｘに、新たなＬＥＤ照明灯７、又は、取り外したＬＥＤ照明灯７Ｘが、再び取着接続されると、一方の接続部28Ｘの下流端は、電圧（値）が上昇する。検知制御手段３において、第１判定回路部31ＸはＯＲ回路（部）37へ信号Ｄを送らず、ＯＲ回路37からデューティ比変更指令信号Ｓｂの出力がなくなり、ＰＷＭパルス発生回路部18は、第１デューティ比Ｔon１／Ｔをもったパルス信号を出力し、定電流供給回路部10は２Ａの規定電流Ｉａを供給し、各接続部28Ｘ，28Ｙに流れる電流Ｉｘ，Ｉｙは、１Ａの電流（規格電流）となる。
【００３１】
なお、本発明は、設計変更可能であって、接続部28を３つ以上設けて３本以上のＬＥＤ照明灯７を取着接続可能に設けても良い。例えば、検知制御手段３に、接続部28の数と同数の判定回路部（検知回路部）31を設け、各判定回路部31から送信される照明有り信号と、照明無し信号と、によって、取着接続されているＬＥＤ照明灯７が何本かを判定可能に、電気回路（ＯＲ回路やＡＮＤ回路やＮＯＴ回路等を組み合わせた回路）、又は、演算処理器、或いは、電気回路と演算処理器の組合せから成るように（上述のＯＲ回路37に代わって）総合判定部を設け、さらに、総合判定部から基準デューティ比指令信号Ｓａを発信可能に設けると共に、取着接続されている本数に対応するようにデューティ比変更指令信号Ｓｂの種類（数）を設ければ良い。
具体的には、接続部28を３つ設けて３本のＬＥＤ照明灯７，７，７を取着接続可能に設けた場合は、総合判定部から送信する制御信号を、３本取着接続している場合の基準規定電流Ｉａを流すための基準デューティ比指令信号Ｓａと、２本取着接続している場合の第１変更規定電流Ｉａ´を流すための第１デューティ比変更指令信号Ｓｂ´と、１本取着しているときの第２変更規定電流Ｉａ´´を流すための第２デューティ比変更指令信号Ｓｂ´´と、の３つを発信可能に設け、デューティ比Ｔon／Ｔを取着接続されているＬＥＤ照明灯７の本数に応じて制御する（変化させる）ように設けても良い。
【００３２】
以上のように、本発明の電源回路は、複数のＬＥＤ照明灯７Ｘ，７Ｙが夫々取着接続される接続部28Ｘ，28Ｙを電気的並列接続した並列回路部20と、並列回路部20に規定電流Ｉａを供給するための定電流供給回路部10と、を有する電源回路に於て、複数のＬＥＤ照明灯７Ｘ，７Ｙの内の１本が接続部28Ｘから通電中に外された際、外されたことを瞬時に検知して、規定電流Ｉａを残りのＬＥＤ照明灯７Ｙの規格電流に電流制限を行う検知制御手段３を備えたので、１つの定電流供給回路部10で複数のＬＥＤ照明灯７Ｘ，７Ｙに対応できて、装置（ＬＥＤ照明器具）の構造の簡素化と小型化を図り、コストダウンを図り得る。しかも、不意に、通電中に１本のＬＥＤ照明灯７Ｘが取り外された場合にも、残ったＬＥＤ照明灯７Ｙには、過電流が流れることが全くなく、正規の寿命が維持できる。
【００３３】
また、検知制御手段３は、１本が通電中に外されたことを、接続部28Ｘ，28Ｙの下流端50Ｘ，50Ｙの電流変化又は電圧変化によって検知するように構成したので、最速でＬＥＤ照明灯７Ｘが取り外されたことの検出が可能である。勿論、光電センサやリミットスイッチ等の検知器具よりも、照明の有無を瞬時かつ確実に検知できる。
【００３４】
また、定電流供給回路部10は、規定電流Ｉａを並列回路部20に流すためのＰＷＭパルス発生回路部18を有し、検知制御手段３は、ＰＷＭパルス発生回路部18にデューティ比変更指令信号Ｓｂを送って、ＰＷＭパルス発生回路部18から出力されるパルス信号のデューティ比Ｔon／Ｔを制御して、電流制限を行うので、並列回路部20に供給する電流の値を、確実かつ瞬時に降下させる（切り換える）ことができる。
【符号の説明】
【００３５】
３  検知制御手段
７Ｘ  ＬＥＤ照明灯
７Ｙ  ＬＥＤ照明灯
10  定電流供給回路部
18  ＰＷＭパルス発生回路部
20  並列回路部
28Ｘ  接続部
28Ｙ  接続部
50Ｘ  下流端
50Ｙ  下流端
Ｉａ  規定電流
Ｓｂ  デューティ比変更指令信号
Ｔon／Ｔ  デューティ比
【図１】
2015022902.tif 000003
【図２】
2015022902.tif 000004
【図３】
2015022902.tif 000005
【図４】
2015022902.tif 000006
【図５】
2015022902.tif 000007
【図６】
2015022902.tif 000008
【図７】
2015022902.tif 000009
【図８】
2015022902.tif 000010
【図９】
2015022902.tif 000011
【図１０】
2015022902.tif 000012
【図１１】
2015022902.tif 000013